(57)【要約】【課題】一定量の毛髪を均等に保持して毛髪をカットするラインを正確に形成することができ、カットを容易に且つ素早く、また熟練した美容師や理容師でなくても行うことができるヘアーグリップ具を提供する。【解決手段】毛髪をカットするラインと側面視において同一ラインを形成する細長板状の表側整列板１を、長側面１ａ方向に一定間隔に複数並設して表面全体が毛髪をカットする面を形成するカット側毛髪整列手段と、表側整列板１と略同一幅で略同一長さの細長板状の裏側整列板３を、各表側整列板１の裏面側に並行に所定間隔を置いて配設した頭皮側毛髪整列手段と、表側整列板間１と裏側整列板間３に整列された毛髪を、均等な力で保持する毛髪均等保持手段と、を備えたことを特徴とするヘアーグリップ具である。【選択図】図１
2019187684.tif 000002
【特許請求の範囲】
【請求項１】
毛髪をカットするラインと側面視において同一ラインを形成する細長板状の表側整列板を、該表側整列板の長側面方向に一定間隔に複数枚並設して表面全体が毛髪をカットする面を形成するカット側毛髪整列手段と、
表側整列板と略同一幅で略同一長さの細長板状の裏側整列板を、各表側整列板の裏面側に該表側整列板と並行に所定間隔を置いて配設した頭皮側毛髪整列手段と、
表側整列板と裏側整列板との間に毛髪保持板を出入り自在に形成し、該毛髪保持板の表面に複数の櫛歯を突設し、毛髪保持板の裏面中央部を付勢することで毛髪保持板が移動して毛髪保持板の表面に突設した櫛歯が隣接する表側整列板と裏側整列板との間に突出するように形成し、表側整列板と裏側整列板が向かい合った側の、表側整列板及び裏側整列板の両方の板面であって、櫛歯が突出移動してくる側に毛髪保持板当接片を設け、毛髪保持板が移動して櫛歯が隣接する表側整列板と裏側整列板との間に突出した際に、毛髪保持板当接片と、毛髪保持板の表面の両端部が当接して、表側整列板間と裏側整列板間に整列された毛髪を均等な力で保持するように形成した毛髪均等保持手段であって、毛髪保持板と櫛歯と毛髪保持板当接片とから成る毛髪均等保持手段と、
を備えたことを特徴とするヘアーグリップ具。
【請求項２】
前記毛髪均等保持手段を、複数並設された表側整列板とこれと所定間隔を置いて配設された裏側整列板との間のすべてに備え、複数のヘアーグリップ具を同一の向きに隣接状態に置いてすべての表側整列板を一定間隔に並設させた場合に、表側整列板間に整列された毛髪を毛髪均等保持手段により均等に保持するように形成したことを特徴とする請求項１記載のヘアーグリップ具。
【請求項３】
請求項１又は請求項２に記載のヘアーグリップ具を二個同一の向きに隣接状態に固着させる固着手段をさらに備える請求項１又は請求項２に記載のヘアーグリップ具であって、該固着手段は、すべての表側整列板が該表側整列板の長側面方向に一定間隔に並設するように形成されていることを特徴とする請求項１又は請求項２に記載のヘアーグリップ具。
【請求項４】
請求項１乃至請求項３のいずれかに記載のヘアーグリップ具を二個対向状態に固着させる固着手段をさらに備える請求項１乃至請求項３のいずれかに記載のヘアーグリップ具であって、該固着手段が、一個目のヘアーグリップ具と二個目のヘアーグリップ具の各表側整列板の先端部が固着され、且つ一個目のヘアーグリップ具の表側整列板と二個目の表側整列板が直線状に連接されるように形成されていることを特徴とする請求項１乃至請求項３のいずれかに記載のヘアーグリップ具。
【請求項５】
さらに毛髪をカットする長さを測定するカット長さ計測手段を表側整列板の表面に設けたことを特徴とする請求項１乃至請求項４のいずれかに記載のヘアーグリップ具。
【請求項６】
さらに表側整列板及び裏側整列板の先端部を覆うカバーを備えたことを特徴とする請求項１乃至請求項５のいずれかに記載のヘアーグリップ具。
【発明の詳細な説明】
【技術分野】
【０００１】
本発明は、毛髪を整列して保持することにより、毛髪をカットするラインを形成することができるヘアーグリップ具に関する。
【背景技術】
【０００２】
従来、指の間に保持できる程度以上の長さを有する毛髪を所定のヘアースタイルになるように一定長さカットするに当たっては、一定量の毛髪を指と指との間に挟んで保持し、挟んだ毛髪をカットするラインを思い描きながらハサミやバリカンでカットしていた。しかし、そのカットするラインやカット長さは、指と指との間に挟んだ毛髪の量の違いや、指の傾き等の違いによって指で毛髪を挟む毎に異なり、熟練した美容師や理容師でなければ、思い通りに、また正確に同一のラインによって髪をカットすることが出来なかった。
【０００３】
これに対して、近年、正確に様々な形にカットできる毛髪束はさみ器が提案されている（特許文献１）。該毛髪束はさみ器は、中空軸（１ａ）の横に、複数の中空軸（２ａ）と毛束測定ローラ軸（６）と、中空軸（７）を設け、中空軸（１ａ）の中に自由に出入するすべり軸（３ａ）を設け、そのすべり軸（３ａ）に可動接続し、支点（９）を中心として中空軸（２ａ）の中を自由に出入する複数の櫛（４ａ）と、中空軸（７）の中を自由に出入するローラ軸（８）を設け、中空軸（１ａ）の上端とすべり軸（３ａ）の上端の間にバネ（５ａ）を設けた毛髪束はさみ器である。
【先行技術文献】
【特許文献】
【０００４】
【特許文献１】特開２００４−２０２１６８号公報
【０００５】
しかしながら、特許文献１に記載の該毛髪束はさみ器は、櫛（４ａ）の一端がすべり軸（３ａ）に固着されてカンチレバー状になっているため、櫛（４ａ）の先端はすべり軸（３ａ）側に比べて中空軸（２ａ）を押さえる力が弱くなり、結果として櫛（４ａ）の全長に亘って均等な力で毛髪を挟むことが出来ないという課題がある。このため特に毛髪径が細い場合は櫛（４ａ）の先端部分では十分に毛髪を挟んで保持することが出来ず、毛髪が滑ってしまい、毛髪のカットラインが崩れてしまうという課題がある。
【発明の概要】
【発明が解決しようとする課題】
【０００６】
本発明が解決しようとする課題は、一定量の毛髪を均等に保持して、保持した毛髪をカットするラインを正確に形成することができ、結果として目的とするヘアースタイルになるカットを容易に且つ素早く、また熟練した美容師や理容師でなくても行うことができるヘアーグリップ具を提供することにある。
【課題を解決するための手段】
【０００７】
上記課題を解決するため、請求項１記載の発明は、毛髪をカットするラインと側面視において同一ラインを形成する細長板状の表側整列板を、該表側整列板の長側面方向に一定間隔に複数枚並設して表面全体が毛髪をカットする面を形成するカット側毛髪整列手段と、
表側整列板と略同一幅で略同一長さの細長板状の裏側整列板を、各表側整列板の裏面側に該表側整列板と並行に所定間隔を置いて配設した頭皮側毛髪整列手段と、
表側整列板と裏側整列板との間に毛髪保持板を出入り自在に形成し、該毛髪保持板の表面に複数の櫛歯を突設し、毛髪保持板の裏面中央部を付勢することで毛髪保持板が移動して毛髪保持板の表面に突設した櫛歯が隣接する表側整列板と裏側整列板との間に突出するように形成し、表側整列板と裏側整列板が向かい合った側の、表側整列板及び裏側整列板の両方の板面であって、櫛歯が突出移動してくる側に毛髪保持板当接片を設け、毛髪保持板が移動して櫛歯が隣接する表側整列板と裏側整列板との間に突出した際に、毛髪保持板当接片と、毛髪保持板の表面の両端部が当接して、表側整列板間と裏側整列板間に整列された毛髪を均等な力で保持するように形成した毛髪均等保持手段であって、毛髪保持板と櫛歯と毛髪保持板当接片とから成る毛髪均等保持手段と、
を備えたことを特徴とするヘアーグリップ具を提供する。
【０００８】
また請求項２記載の発明は、前記毛髪均等保持手段を、複数並設された表側整列板とこれと所定間隔を置いて配設された裏側整列板との間のすべてに備え、複数のヘアーグリップ具を同一の向きに隣接状態に置いてすべての表側整列板を一定間隔に並設させた場合に、表側整列板間に整列された毛髪を毛髪均等保持手段により均等に保持するように形成したことを特徴とする請求項１記載のヘアーグリップ具を提供する。
【０００９】
また請求項３記載の発明は、請求項１又は請求項２に記載のヘアーグリップ具を二個同一の向きに隣接状態に固着させる固着手段をさらに備える請求項１又は請求項２に記載のヘアーグリップ具であって、該固着手段は、すべての表側整列板が該表側整列板の長側面方向に一定間隔に並設するように形成されていることを特徴とする請求項１又は請求項２に記載のヘアーグリップ具を提供する。
【００１０】
また請求項４記載の発明は、請求項１乃至請求項３のいずれかに記載のヘアーグリップ具を二個対向状態に固着させる固着手段をさらに備える請求項１乃至請求項３のいずれかに記載のヘアーグリップ具であって、該固着手段が、一個目のヘアーグリップ具と二個目のヘアーグリップ具の各表側整列板の先端部が固着され、且つ一個目のヘアーグリップ具の表側整列板と二個目の表側整列板が直線状に連接されるように形成されていることを特徴とする請求項１乃至請求項３のいずれかに記載のヘアーグリップ具を提供する。
【００１１】
また請求項５記載の発明は、さらに毛髪をカットする長さを測定するカット長さ計測手段を表側整列板の表面に設けたことを特徴とする請求項１乃至請求項４のいずれかに記載のヘアーグリップ具を提供する。
【００１２】
また請求項６記載の発明は、さらに表側整列板及び裏側整列板の先端部を覆うカバーを備えたことを特徴とする請求項１乃至請求項５のいずれかに記載のヘアーグリップ具
【発明の効果】
【００１３】
本発明のヘアーグリップ具は、一定量の毛髪を均等に保持することが出来る効果があり、特に毛髪の保持は、毛髪保持板の表面の櫛歯及び毛髪保持板の表面の両端部と毛髪保持板当接片によって行われ、これにより保持した毛髪をカットするためのラインが、表側整列板の表面に正確に形成することが出来る効果がある。したがって、毛髪のカットは、表側整列板の表面に沿って行えばよく、結果として目的とするヘアースタイルになるカットを誰でもが容易に且つ素早く行うことが出来る効果がある。
【００１４】
特に毛髪をカットするラインは表側整列板の側面視のライン形状を変えることにより自在に設定することができ、例えば直線ラインでカットする場合は表側整列板の側面視は直線状とし、弓形にカットするのであれば表側整列板の側面視は該弓形に形成し、波形にカットするのであれば表側整列板の側面視は該波形に形成する。これにより複雑なカットラインから成る髪形を本発明のヘアーグリップ具を使用すれば、容易にまた繰り返しカットすることができる効果がある。
【００１５】
また特に請求項２に記載のヘアーグリップ具は、請求項１に記載のヘアーグリップ具において、毛髪均等保持手段を複数並設された表側整列板とこれと所定間隔を置いて配設された裏側整列板との間のすべてに設けているため、該ヘアーグリップ具を例えば同一方向に向け、また一個目のヘアーグリップ具の一番下の表側整列板と二個目のヘアーグリップ具の一番上の表側整列板が隣接するように並行に二個隣接させ、毛髪を表側整列板間及び裏側整列板間に整列させると、上側にあるヘアーグリップ具の一番下の表側整列板と裏側整列板の間に設けられた毛髪均等保持手段である毛髪保持板と櫛歯は、下側にあるヘアーグリップ具の一番上の表側整列板と裏側整列板との間に突出させることができる効果がある。このため、上側にあるヘアーグリップ具の一番下の表側整列板と下側にあるヘアーグリップ具の一番上の表側整列板との間に挟まれた毛髪を毛髪均等保持手段で均等に保持することができる効果がある。
【００１６】
これにより請求項２に記載のヘアーグリップ具を上記のように複数個同一方向に向けて隣接させて毛髪を保持させれば、広範囲の毛髪を所定のラインにて一回のカット作業でカットすることができるという効果がある。
【００１７】
また請求項３に記載のヘアーグリップ具は、請求項２に記載のヘアーグリップ具を二個同一の向きに隣接状態に固着させる固着手段を有するヘアーグリップ具であって、該固着手段は、すべての表側整列板が該表側整列板の長側面方向に一定間隔に並設するように形成されているため、上側位置にあるヘアーグリップ具の一番下の表側整列板と裏側整列板の間に設けられた毛髪均等保持手段である毛髪保持板と櫛歯は、下側位置にあるヘアーグリップ具の一番上の表側整列板と裏側整列板との間に容易に突出させることができる効果がある。このため、上側位置にあるヘアーグリップ具の一番下の表側整列板と下側位置にあるヘアーグリップ具の一番上の表側整列板との間に挟まれた毛髪を毛髪均等保持手段で容易に均等に保持することができる効果がある。
【００１８】
これにより請求項３に記載のヘアーグリップ具を上記のように複数個同一方向に向けて隣接させて毛髪を保持させれば、広範囲の毛髪を所定のラインにて一回のカット作業で容易にカットすることができるという効果がある。
【００１９】
また請求項４に記載のヘアーグリップ具は、請求項１又は請求項２に記載のヘアーグリップ具を二個対向状態に固着させる固着手段を有し、該固着手段は、一個目のヘアーグリップ具と二個目のヘアーグリップ具の各表側整列板の先端部が固着され、且つ１個目のヘアーグリップ具の表側整列板と二個目の表側整列板が直線状に連接されるように設けられているため、一個のヘアーグリップ具の表側整列板の長手方向の長さの二倍の長さで毛髪を一度に保持することができる効果がある。これにより、請求項１又は請求項２に記載のヘアーグリップ具を二個対向状態に固着させれば、カットするラインの長さは二倍となり、一回のカット作業で長いラインを容易にカットすることができるという効果がある。
【００２０】
また請求項５に記載のヘアーグリップ具は、毛髪をカットする長さを測定するカット長さ計測手段を有するため、顧客が望むカット長さを正確に測定した上でカットすることが出来る効果がある。
【００２１】
また請求項６に記載のヘアーグリップ具は、表側整列板及び裏側整列板の先端部を覆うカバーを備えているため、表側整列板間及び裏側整列板間に保持された毛髪をバリカン等でカットする際に、利き手によってヘアーグリップ具を操作して表側整列板間及び裏側整列板間に毛髪を保持した後、該カバーを表側整列板及び裏側整列板の先端部に装着すれば、該カバー部分を利き手ではない側の手で容易に持つことができ、これにより自由になった利き手によってバリカン等を操作して毛髪を容易にカットすることができるという効果がある。
【図面の簡単な説明】
【００２２】
【図１】本出願の請求項１に係るヘアーグリップ具の一実施例の全体状態斜視図である。
【図２】本出願の請求項２に係るヘアーグリップ具の一実施例の全体状態斜視図である。
【図３】本出願の請求項１又は請求項２に係るヘアーグリップ具の一実施例の側面状態図である。
【図４】本出願の請求項１又は請求項２に係るヘアーグリップ具の他の実施例であって表面整列板及び裏側整列板の側面視が弓形のヘアーグリップ具の側面状態図である。
【図５】本出願の請求項１又は請求項２に係るヘアーグリップ具の他の実施例であって表面整列板が弓形で裏側整列板の側面視は直線状に形成されたヘアーグリップ具の側面状態図である。
【図６】本出願の請求項１に係るヘアーグリップ具の一実施例であって、毛髪保持版が隣接する表側整列板と裏側整列板との間に突出して表側整列板間に整列された毛髪を保持する状態にあることを示す平面動作状態図である。
【図７】本出願の請求項１に係るヘアーグリップ具の一実施例であって、毛髪保持板が表側整列板と裏側整列板との間に収納され、並設されている表側整列板間が開放された状態を示す平面動作状態図である。
【図８】本出願の請求項２に係るヘアーグリップ具の一実施例であって、最下段にある毛髪保持板を除いて、毛髪保持版が隣接する表側整列板と裏側整列板との間に突出して表側整列板間に整列された毛髪を保持する状態にあることを示す平面動作状態図である。
【図９】本出願の請求項２に係るヘアーグリップ具の一実施例であって、すべての表側整列板と裏側整列板との間に毛髪均等保持手段である毛髪保持板が設けられ、該毛髪保持板が表側整列板と裏側整列板との間に収納されて、並設されている表側整列板間が開放された状態を示す平面動作状態図である。
【図１０】本出願に係るヘアーグリップ具の毛髪均等保持手段である毛髪保持板と付勢力連接ロッドとの関係を示す分解斜視図である。
【図１１】本出願に係るヘアーグリップ具の毛髪均等保持手段である毛髪保持板と付勢力連接ロッドが組合わされた状態を示す全体斜視図である。
【図１２】本出願の請求項２に係るヘアーグリップ具の毛髪均等保持手段である摺動ブロックを示す斜視図である。
【図１３】本出願の請求項１に係るヘアーグリップ具において表側整列板間及び裏側整列板間に整列された毛髪を、毛髪保持板に突設した櫛歯が隣接する表側整列板と裏側整列板との間に突出し、表側整列板と裏側整列板に設けられた毛髪保持板当接片と毛髪保持板の表面の両端部が当接することで毛髪を均等に保持する状態を示す動作状態説明図である。
【図１４】本出願の請求項２に係るヘアーグリップ具において、表側整列板間及び裏側整列板間に整列された毛髪を、毛髪保持板に突設した櫛歯が隣接する表側整列板と裏側整列板との間に突出し、表側整列板と裏側整列板に設けられた毛髪保持板当接片と毛髪保持板の表面の両端部が当接することで毛髪を均等に保持する状態を示す動作状態説明図である。
【図１５】本出願の請求項２に係るヘアーグリップ具に毛髪が整列状態で保持され、表側整列板の表面に沿って毛髪をバリカンでカットする状態を示す状態斜視図である。
【図１６】本出願の請求項２に係るヘアーグリップ具が固着手段によって二個同一の向きに連接され、すべての表側整列板が該表側整列板の長側面方向に一定間隔に並設された状態となっていることを示す平面状態図である。
【図１７】本出願の請求項２に係るヘアーグリップ具が固着手段によって二個対向状態に連接され、二個のヘアーグリップ具の各表側整列板の先端部が固着され、且つ左右のヘアーグリップ具の表側整列板が直線状に連接されている状態を示す平面状態図である。
【図１８】本出願の請求項１に係るヘアーグリップ具と、表側整列板と裏側整列板の先端部を覆うカバーが分離された状態を示す状態斜視図である。
【図１９】本出願の請求項１に係るヘアーグリップ具の表側整列板と裏側整列板の先端部がカバーで覆われた状態を示す状態斜視図である。
【図２０】図２に示された請求項２に係るヘアーグリップ具にカット長さ計測手段が設けられた状態を示す請求項６に記載のヘアーグリップ具の全体斜視図である。
【発明を実施するための形態】
【００２３】
次に本発明を実施するための形態について図１乃至図２０に基づいて詳細に説明する。
【００２４】
図１及び図２において、１は図３に示すように側面視が直線状の細長板状の表側整列板であり、該表側整列板１の長側面１ａ方向に一定間隔で四枚並設されている。本実施例では四枚並設しているが、カットしようとする毛髪の広さに応じてこれ以上でも良く少なくとも二枚が並設されていれば良い。側面視が直線状に形成されているのは毛髪をカットしようとしているラインが直線であるためである。毛髪をカットしようとしているラインが弓状に湾曲している場合は図４又は図５のように表側整列板１の側面視を弓状に湾曲して形成する。該四枚の表側整列板１で形成される表面全体が、毛髪をカットしようとする面を形成することに成り、図１３の（ａ）、図１４の（ａ）及び図１５に示されるように毛髪Ｈが三列の表側整列板１間の裏側から表側に通されることにより整列されて、全体としてカット側毛髪整列手段を形成している。
【００２５】
表側整列板１の裏面側には、表側整列板１の幅と略同一幅で略同一長さの裏側整列板３が所定間隔を置いて表側整列板１と並行に配設され、全体として頭皮側毛髪整列手段と成している。毛髪Ｈは図１３の（ａ）、図１４の（ａ）及び図１５に示されるように該裏側整列板３の裏側より表側に通され、次に表側整列板１の裏側から表側に通されて、三列の裏側整列板３間及び表側整列板１間によって三列に整列されるように成っている。
【００２６】
表側整列板１と裏側整列板３との間には長四角板状の毛髪保持板５が出入り自在に形成され、該毛髪保持板５には図１０、図１１に示すようにその表面側に多数の櫛歯５ａが突設されている。図１、図６、図７に示されるヘアーグリップ具は、本願の請求項１に記載のヘアーグリップ具Ｇであり、毛髪保持板５は四枚の表側整列板１及び四枚の裏側整列板３のうち、図６及び図７において最下列の表側整列板１及び裏側整列板３を除いた三枚の表側整列板１と三枚の裏側整列板３との間を出入り自在に設けられている。
【００２７】
また表側整列板１と裏側整列板３が向かい合った側の、表側整列板１及び裏側整列板３の両方の板面であって、櫛歯５ａが突出移動してくる側には、図１、図６、図７、図１３に示されるように毛髪保持板当接片５ｄが設けられ、隣接する表側整列板１と裏側整列板３にある毛髪保持板５が突出移動すると（図１３においては（ａ）→（ｂ）→（ｃ）図の順に毛髪保持板５が隣接する表側整列板１と裏側整列板３との間に突出するように移動している状態を示している）、該毛髪保持板５の両端部５ｅが毛髪保持板当接片５ｄと当接して、毛髪Ｈが保持されるように形成されている。これら毛髪保持板５と櫛歯５ａと毛髪保持板当接片５ｄとから少なくとも成るのが毛髪均等保持手段である。
【００２８】
なお、表側整列板１は、図１５で示すように整列保持された毛髪ＨをバリカンＢ等でカットする際に、毛髪保持部分とカットする部分が出来るだけ近くなるように、薄板状であることが好ましく、薄板状に形成することで毛髪をカットするラインに乱れが生じにくくなる。
【００２９】
図２、図８、図９に示されるヘアーグリップ具は、本願の請求項２に記載のヘアーグリップ具Ｇであり、毛髪保持板５は四枚の表側整列板１及び四枚の裏側整列板３のすべての間に出入り自在に設けられている。図８及び図９において最下列の表側整列板１と裏側整列板３の間を出入り自在に形成している毛髪保持板５の櫛歯５ａは、さらに下方側に隣接する表側整列板と裏側整列板が無いため、櫛歯５ａは隣接する表側整列板と裏側整列板との間に突出する、という状態がないことになるが、仮に該ヘアーグリップ具Ｇを二個、図１６のように同一の向きに隣接させ、すべての表側整列板１が該表側整列板１の長側面１ａ方向に一定間隔に並設させれば、隣接した表側整列板１と裏側整列板３との間に櫛歯５ａが突出する状態となる。
【００３０】
図２、図８及び図９で示される本願請求項２記載のヘアーグリップ具Ｇには、該ヘアーグリップ具Ｇを二個、図１６のように同一の向きに隣接させ、すべての表側整列板１が該表側整列板１の長側面１ａ方向に一定間隔に並設するように図８、図９において最上列の表側整列板１と裏側整列板３の外側面に亘って板状の磁石６ａが設けられ、また最下列の表側整列板１と裏側整列板３の外側面に亘って板状の磁石６ｂが設けられている。該磁石６ａと磁石６ｂは図１６に示されるように互いに磁着するように成っていて、該磁着により二個のヘアーグリップ具Ｇは同一の向きに隣接状態で、且つすべての表側整列板１が該表側整列板１の長側面方向に一定間隔に並設されるように成っている。該磁石６ａと磁石６ｂは請求項３で言う固着手段に当たる。
【００３１】
図１、図６及び図７で示される本願請求項１記載のヘアーグリップ具Ｇにも同様に最上列の表側整列板１と裏側整列板３の外側面に亘って板状の磁石６ａが設けられ、また最下列の表側整列板１と裏側整列板３の外側面に亘って板状の磁石６ｂが設けられている。該磁石６ａと磁石６ｂは図１６に示される請求項２に記載のヘアーグリップ具Ｇと同様に互いに磁着するように成っていて、該磁着により二個のヘアーグリップ具Ｇは同一の向きに隣接状態で、且つすべての表側整列板１が該表側整列板１の長側面方向に一定間隔に並設されるように成っている。該磁石６ａと磁石６ｂは同様に請求項３に記載の固着手段に当たる。
【００３２】
また、図１及び図２、及び図６乃至図９等に示すように表側整列板１と裏側整列板３の先端部は平面視三角形状に形成されて、該三角形状の斜辺部分には表側整列板１と裏側整列板３に亘って板状の磁石１０が設けられている。該磁石１０は、ヘアーグリップ具Ｇを二個、図１７に示すように対向状態に、該磁石１０の磁着力により固着させることが出来るように成っていて、これにより二個のヘアーグリップ具Ｇは、一個目のヘアーグリップ具Ｇと二個目のヘアーグリップ具Ｇの各表側整列板１の先端部が固着され、且つ一個目のヘアーグリップ具Ｇの表側整列板１と二個目のヘアーグリップ具Ｇの表側整列板１が直線状に連接される。上記平面視三角形状の表側整列板１と裏側整列板３の先端部と磁石１０が請求項４で言う固着手段に当たる。
【００３３】
なお、図１７は図２に示す本願の請求項２に係るヘアーグリップ具Ｇ  二個を、上記磁石１０により対向状態に固着した状態を示し、左側に位置するヘアーグリップ具Ｇと右側に位置するヘアーグリップ具Ｇはその上下方向が逆になっている。
【００３４】
図４のように表側整列板１が側面視弓状に形成されていて、裏側整列板３が該表側整列板１と同様に側面視弓状に形成されている場合は、毛髪保持板５は表側整列板１と裏側整列板３の間に出入り自在と成るように同様の形状に湾曲して形成される。また該毛髪保持板５の両端部５ｅが当接する毛髪保持板当接片５ｄも表側整列板１及び裏側整列板３の向かい合った側であって毛髪保持板５の表面に設けられた櫛歯５ａが突出してくる側に同様に湾曲して湾曲して設けられている。
【００３５】
図５のように表側整列板１が側面視弓状に形成されていて、裏側整列板３が側面視直線状の細長板状に形成されている場合は、毛髪保持板５は表側整列板１と裏側整列板３の間に出入り自在と成るように半月状の板状に形成される。毛髪保持板５の両端部５ｅが当接する毛髪保持板当接片５ｄは、表側整列板１及び裏側整列板３の向かい合った側であって毛髪保持板５の表面に設けられた櫛歯５ａが突出してくる側に表側整列板１では湾曲して設けられ、裏側整列板３では直線状に設けられる。
【００３６】
毛髪保持板５の表側には上記にように毛髪を整列保持するための多数の櫛歯５ａが突設され、該櫛歯５ａは本実施例では二列設けられている。櫛歯５ａの列数は一列では毛髪を保持する力が不十分な場合があり、二列以上設けることが好ましい。毛髪保持板５の形状は図１乃至図３及び図６乃至図９等に示される実施例では細長い長板形状であるが、毛髪をカットしようとするラインが弓状に湾曲している場合は、上記のように、図４に示すように該湾曲に合わせて弓形状の毛髪保持板５とするか、図５に示すように半月状の毛髪保持板５とする。毛髪保持板５を弓形状に形成した場合は、二列の櫛歯５ａは該弓形に沿って並行に突設する。毛髪保持板５を半月状に形成した場合の櫛歯５ａは、少なくとも一列は弓状に湾曲した表側整列板１に沿って突設し、もう一列は裏側整列板３に沿って直線状に突設するのが、毛髪を確実に保持する上で好ましい。
【００３７】
毛髪保持板５の裏面中央部には図１０及び図１１等に示されるように、後述する圧縮コイルバネ８による付勢力が加えられるための連接板５ｂが突設され、該連接板５ｂには連接穴５ｃが穿設されている。該連接穴５ｃには略ヘの字型の付勢力連接ロッド７のＬ字の先端が回動自在に連接されている。付勢力連接ロッド７の他端部７ａには後述する圧縮コイルバネ８による付勢力が図６乃至図９において下方から上方に加わっているため、軸７ｂを中心にして該付勢力連接ロッド７は反時計回りに回動するように付勢されていて、結果として毛髪保持板５の裏面中央部の連接板５ｂ部分が下方に付勢され、毛髪保持板５の全長に亘って均等な力が下方向に加えられるように形成されている。
【００３８】
毛髪保持板５の裏面中央部を下方に付勢する機構は上記実施例に限らず、例えば薄板状のプラスチック片の先端で毛髪保持板５の中央部を下方に押圧するように付勢する機構を使用しても良い。該薄板状のプラスチック片を使用することで上記実施例の付勢力連接ロッド７のＬ字の先端や連接板５ｂ（及び連接穴５ｃ）が不要になって、これにより表側整列板１と裏側整列板３との所定間隔をより狭くコンパクトに形成することが可能になり、結果として本発明に係るヘアーグリップ具を取り扱いやすい大きさと重量に形成することが可能になる。
【００３９】
図４のように弓形状の毛髪保持板５においても同様に形成されるが、図４に示すように毛髪保持板５の裏面中央部には後述する圧縮コイルバネ８による付勢力が加えられるための連接板５ｂが突設され、該連接板５ｂには連接穴５ｃが穿設されている。該連接穴５ｃには略ヘの字型の付勢力連接ロッド７のＬ字の先端が回動自在に連接されている。付勢力連接ロッド７の他端部７ａには後述する圧縮コイルバネ８による付勢力が加わっているため、軸７ｂを中心にして該付勢力連接ロッド７は図４において左端が手前側に飛び出るように付勢されていて、結果として毛髪保持板５の裏面中央部の連接板５ｂ部分が同様に手前側に飛び出るように付勢され、毛髪保持板５の全長に亘って均等な力が手前方向に加えられように形成されている。
【００４０】
また図５のように半月状の毛髪保持板５についてもほぼ同様に形成され、図５に示すように毛髪保持板５の裏面中央部には後述する圧縮コイルバネ８による付勢力が加えられるための３つの連接板５ｂが突設され、各連接板５ｂには連接穴５ｃが穿設されている。該連接穴５ｃには平面視略ヘの字型の付勢力連接ロッド７のＬ字の先端が回動自在に連接されているが、該付勢力連接ロッド７は半月状の毛髪保持板５の中央部に均等に付勢力を伝えるために図５においては側面視の左側が三つに分岐した形状となっていて、他端部７ａ側は一本にまとまった形に形成されている。該付勢力連接ロッド７の他端部７ａには後述する圧縮コイルバネ８による付勢力が加わっているため、軸７ｂを中心にして該付勢力連接ロッド７は図５において左端が手前側に飛び出るように付勢されていて、結果として毛髪保持板５の裏面中央部の連接板５ｂ部分が同様に手前側に飛び出るように付勢され、毛髪保持板５の全長に亘って均等な力が手前方向に加えられように形成されている。
【００４１】
なお、図１０及び図１１に示した付勢力連接ロッド７の他端部７ａは、図１及び図２、図６乃至図９に示したヘアーグリップ具Ｇにおける最上段に設けられた毛髪保持板５に連接されている付勢力連接ロッド７の他端部７ａを示していて、該他端部７ａの折り曲げの角度と方向は、それよりも下段に設けられている毛髪保持板５に連接される各付勢力連接ロッド７によってそれぞれ異なり、それぞれに適した角度と方向に折り曲げられている。
【００４２】
軸７ｂは図１乃至図９に示すように表側整列板１と一体と成っている表板１ｂと、裏側整列板３と一体と成っている裏板３ａに固着されていて、各付勢力連接ロッド７の略ヘの字の折り曲げ部分には回動穴７ｃが設けられ、該回動穴７ｃに該軸７ｂが軸支されることで、各付勢力連接ロッド７は回動自在に形成されている
【００４３】
表板１ｂと裏板３ａは側面板２、２の長側面を挟持する状態で互いに固着され、これにより表板１ｂと一体となっている表側整列板１と、裏板３ａと一体となっている裏側整列板３が所定間隔を置いて平行に配設されている。
【００４４】
図２及び図８及び図９に示している本願請求項２に記載のヘアーグリップ具Ｇにおいて、最上段に設けられている付勢力連接ロッド７の他端部７ａは図８において圧縮コイルバネ８によって上方に付勢されている摺動ブロック９の空間部９ａに収納され、その下段の付勢力連接ロッド７の他端部７ａは、摺動ブロック９の空間部９ｂに収納され、さらにその下段の付勢力連接ロッド７の他端部７ａは、摺動ブロック９の空間部９ｃに収納され、さらにその下段の付勢力連接ロッド７の他端部７ａは、摺動ブロック９の空間部９ｄに収納されている。摺動ブロック９は図１２に示されるように摺動板９ｅの上に摺動板９ｅの幅よりやや小さい幅のブロック９ｆ、９ｇ、９ｈ、９ｉ、９ｊが設けられていて、ブロック９ｆ、９ｇ、９ｈ、９ｉ、９ｊにより空間部９ａ、９ｂ、９ｃ、９ｄが形成されている。
【００４５】
ブロック９ｆは図１及び図２、図６乃至図９における、操作レバーでもあり、ブロック９ｊにはコイルバネ８の上端部が付勢状態で当接している。コイルバネ８の付勢力により摺動ブロック９全体が図９において上方に付勢され、付勢力連接ロッド７の各他端部７ａが上方向に移動し、その結果付勢力連接ロッド７が時計回りと反対方向に回動して、毛髪保持板５の櫛歯５ａが、図９に示される表側整列板１と裏側整列板３（図示せず）との間から出て、図８に示されるように隣接する表側整列板１と裏側整列板３（図示せず）との間に突出し、さらには毛髪保持板５の両端部５ｅが毛髪保持板当接片５ｄと当接する状態となる。
【００４６】
摺動ブロック９は図８に示された状態より上には移動しないように形成されているため、図８の状態においてブロック９ｆに上から力を加えない限り、毛髪保持板５の櫛歯５ａは隣接する表側整列板１と裏側整列板３との間に突出し、毛髪保持板５の両端部５ｅが毛髪保持板当接片５ｄと当接した状態を保持する。
【００４７】
この状態が毛髪Ｈを保持する状態である。毛髪Ｈを各表側整列板１間と各裏側整列板３間に整列させるためには、毛髪保持板５及び櫛歯５ａは表側整列板１と裏側整列板３の間に収納させて、各表側整列板１間と各裏側整列板３間を開放しなければならないが、その状態が図９に示す状態である。これらの動きを示したのが図１４の（ａ）（ｂ）（ｃ）である。
【００４８】
図１４の（ａ）が、操作ボタンであるブロック９ｆをコイルバネ８の付勢力に抗して上から押し込み（図９参照）、毛髪保持板５と櫛歯５ａを表側整列板１と裏側整列板３の間に収納し、各表側整列板１間と各裏側整列板３間を開放し、毛髪Ｈがこれらの間に整列状態にあることを示している。この状態から操作ボタンであるブロック９ｆの押し込みを徐々に開放しコイルバネ８の付勢力により毛髪保持板５と櫛歯５ａを移動させている状態が図１４の（ｂ）である。この状態からさらにブロック９ｆの押し込みを完全に解除すると、毛髪保持板５と櫛歯５ａは隣接する表側整列板１と裏側整列板３との間に突出して、毛髪保持板５の両端部５ｅが毛髪保持板当接片５ｄと当接しようとするため、毛髪Ｈは毛髪保持板５の両端部５ｅと毛髪保持板当接片５ｄによって確実に挟まれるように保持される。この状態が図１４の（ｃ）である。このようにして毛髪Ｈが保持される。
【００４９】
図１及び図６及び図７に示している本願請求項１に記載のヘアーグリップ具Ｇにおいては、図８及び図９に示されている最下段の毛髪保持板５、付勢力連接ロッド７を備えていないため、摺動ブロック９の空間部９ｄには収納される付勢力連接ロッド７の他端部７ａを有さず、該空間部９ｄは空いた状態となる。その際の毛髪Ｈを保持する動作を示したのが図１３の（ａ）（ｂ）（ｃ）であり、図１４における最も左側にある毛髪保持板５及び櫛歯５ａが無いことを除き、上記図１４によって示した毛髪Ｈの保持動作と同様に動作する。
【００５０】
摺動ブロック９の上部にあるブロック９ｆは図６又は図８に示される上死点から図７又は図９に示されるように圧縮コイルバネ８の付勢力に抗して下方向に押し込めるように成っていて、該操作ボタンであるブロック９ｆを押し込むと摺動ブロック９全体が下側に摺動して圧縮コイルバネ８が圧縮され、空間部９ａ、９ｂ、９ｃ、９ｄが下方向に移動して付勢力連接ロッド７の他端部７ａを下方向に押し下げる状態となり、結果として毛髪保持板５の裏面中央部の連接板５ｃが持ち上げられて毛髪保持板５全体が図６又は図８の位置から図７又は図９の位置まで上方に移動し、毛髪保持板５は表側整列板１と裏側整列板３の間に収納されて、表側整列板１間及び裏側整列板３間が図７又は図９のように開放されるように成っている。
【００５１】
この状態で、本発明のヘアーグリップ具Ｇを、裏側整列板３側を頭皮側に、表側整列板１を外側に成るようにして毛髪に差し込めば、毛髪は表側整列板１間と裏側整列板３との間で整列され、次にブロック９ｆを開放して圧縮コイルバネ８の付勢力により図６又は図８の状態に戻すことにより、整列された毛髪は毛髪保持板５の両端部５ｅと毛髪保持板当接片５ｄとに挟まれて保持されることに成る。
【００５２】
なお、図７及び図９において櫛歯５ａが表側整列板１間及び裏側整列板３間に僅かに突出した状態となっているが、櫛歯５ａを表側整列板１と裏側整列板３との間に完全に収納されるように形成しても良く、こうすることにより、よりスムーズに毛髪を表側整列板１間と裏側整列板３との間に整列させることが出来る。
【００５３】
上記のように上記毛髪保持板５、圧縮コイルバネ８、付勢力連接ロッド７、摺動ブロック９の構成により毛髪が均等に保持されることになるが、図２及び図８及び図９に示した本願請求項２に記載のヘアーグリップ具Ｇに毛髪Ｈが保持され、表側整列板１の表面に沿ってバリカンＢで保持された毛髪Ｈをカットする状態を示したのが図１５である。本発明のヘアーグリップ具Ｇに保持され、バリカンＢでカットされようとしている頭皮側（裏側整列板３側）の毛髪Ｈは、毛髪Ｈをカットしょうとするラインを正確に出すため、テンションが掛かった状態となり図１５では直線状に示されている。逆に言えば、毛髪Ｈをカットしようとするラインを正確にだすためには、頭皮側の毛髪Ｈにテンションをかけた状態で本発明のヘアーグリップ具Ｇにて毛髪Ｈを保持すれば良い。
【００５４】
図１８において、１１は表側整列板１及び裏側整列板３の先端部を覆うカバーであり、該カバー１１は図１９に示すように表側整列板１及び裏側整列板３の先端部の外側に密着状態で装着できるように成っている。
【００５５】
また図２０において１２は長さの目盛りが付されたカット長さ計測手段である目盛りバーであり、表側整列板１及びこれと一体の表板１ｂの表面に垂直状に立設されている。該目盛りバー１２は取り外し自在に形成しているため、毛髪をカットする長さを測定する必要が生じた際に、所定位置に立設させることが出来る。
【００５６】
毛髪Ｈカットする長さを測定する際には、毛髪Ｈを表側整列板１及び裏側整列板３の間に整列させて毛髪保持板５で毛髪Ｈを保持した後、毛髪Ｈを目盛りバー１２に沿って引張あげ、目盛りバー１２に付した目盛りにてその長さを測定する。カットする長さ部分でハサミやバリカン等で毛髪Ｈをカットすれば、正確にカットすべき長さで正確にカットすることが出来る。
【００５７】
本実施例ではカット長さ計測手段は目盛りバー１２を四本立設させること成しているが、例えば所定のカット長さとなる部分にレーザー光を当てるような電気的な仕組みから成るカット長さ計測手段を設けても良い。
【符号の説明】
【００５８】
１  表側整列板
１ａ  長側面
１ｂ  表板
２  側面板
３  裏側整列板
３ａ  裏板
５  毛髪保持板
５ａ  櫛歯
５ｂ  連接板
５ｃ  連接穴
５ｄ  毛髪保持板当接片
５ｅ  両端部
６ａ  磁石
６ｂ  磁石
７  付勢力連接ロッド
７ａ  他端部
７ｂ  軸
７ｃ  回動穴
８  圧縮コイルバネ
９  摺動ブロック
９ａ、９ｂ、９ｃ、９ｄ  空間部
９ｅ  摺動板
９ｆ、９ｇ、９ｈ、９ｉ、９ｊ  ブロック
１０  磁石
１１  カバー
１２  目盛りバー
Ｂ  バリカン
Ｇ  ヘアーグリップ具
Ｈ  毛髪
【図１】
2019187684.tif 000003
【図２】
2019187684.tif 000004
【図３】
2019187684.tif 000005
【図４】
2019187684.tif 000006
【図５】
2019187684.tif 000007
【図６】
2019187684.tif 000008
【図７】
2019187684.tif 000009
【図８】
2019187684.tif 000010
【図９】
2019187684.tif 000011
【図１０】
2019187684.tif 000012
【図１１】
2019187684.tif 000013
【図１２】
2019187684.tif 000014
【図１３】
2019187684.tif 000015
【図１４】
2019187684.tif 000016
【図１５】
2019187684.tif 000017
【図１６】
2019187684.tif 000018
【図１７】
2019187684.tif 000019
【図１８】
2019187684.tif 000020
【図１９】
2019187684.tif 000021
【図２０】
2019187684.tif 000022